(57)【要約】【課題】ランプの灯数が変更可能であり、その変更に際し、作業性が良好な照明器具を提供することを目的とする。【解決手段】本発明は、器具本体１と、器具本体１に設けられる片口金形ランプ２と、このランプ２が装着されるとともに、ランプ２の軸と直交する前面側方向へ突出して器具本体１の所定位置に配設された複数のランプソケット３と、この複数のランプソケット３と対向する位置に配設され、かつ当該ランプソケット３の数より少ない数の少数のランプソケット３と、前記片口金形ランプ２の背面側に設けられ、ランプ２からの出射光を前面側へ反射する反射体６とを備え、前記複数のランプソケット３と少数のランプソケット３とは、選択的に前記ランプ２を装着して使用が可能であって、前記複数のランプソケット３及び少数のランプソケット３のうち、使用されないランプソケット３は、反射体６から突出しないように構成されている照明器具である。【選択図】図９
2011146268.tif 000002
【特許請求の範囲】
【請求項１】
器具本体と；
器具本体に設けられる片口金形ランプと；
このランプが装着されるとともに、ランプの軸と直交する前面側方向へ突出して器具本体の所定位置に配設された複数のランプソケットと；
この複数のランプソケットと対向する位置に配設され、かつ当該ランプソケットの数より少ない数の少数のランプソケットと；
前記片口金形ランプの背面側に設けられ、ランプからの出射光を前面側へ反射する反射体と；
を備え、前記複数のランプソケットと少数のランプソケットとは、選択的に前記ランプを装着して使用が可能であって、前記複数のランプソケット及び少数のランプソケットのうち、使用されないランプソケットは、反射体から突出しないように構成されていることを特徴とする照明器具。
【請求項２】
器具本体と；
器具本体に設けられるランプと；
このランプの背面側に設けられ、ランプからの出射光を前面側へ反射する反射体と；
前記ランプが装着されるとともに、ランプの軸と直交する前面側方向へ突出して器具本体に配設された複数のランプソケットと；
これら複数のランプソケットのうち、選択的に前記ランプを装着して使用が可能であり、使用されない場合には、前記反射体から突出しないように構成された少なくとも１つの選択使用可能なランプソケットと；
を具備することを特徴とする照明器具。
【請求項３】
前記ランプソケットが反射体から突出しない構成は、ランプソケットが可倒できる機構であることを特徴とする請求項１又は請求項２に記載の照明器具。
【発明の詳細な説明】
【技術分野】
【０００１】
本発明は、ランプの灯数が変更可能な照明器具に関する。
【背景技術】
【０００２】
従来、オフィスビル等においては、天井部の構造物から吊り下げ支持された天井施工部材であるＴバーを用い、天井板とともに照明器具を設置するシステム天井が採用されている。このようなシステム天井に照明器具を設置する場合、設置環境や周囲の明るさ、また、使用者の要望等により照明器具に装着するランプの灯数を変更する必要性が生じる。
【０００３】
このため、例えば、１灯を２灯に増灯する場合、ソケット台を一旦照明器具から取外し、ソケット台を追加する等によって対応するものが知られている（特許文献１参照）。また、加えて、灯数の変更を、ソケットが取付けられ安定器が内蔵された灯体単位で行えるようにして、自在に灯数を変えることができる照明器具が提案されている（特許文献２参照）。
一方、照明器具本体の端部にランプソケットを可倒できるようにしたものが知られている（特許文献３及び特許文献４参照）。
【先行技術文献】
【特許文献】
【０００４】
【特許文献１】実開平４−３８６１９号公報
【特許文献２】特開平９−２３１８２６号公報
【特許文献３】特開平３−１９０００６号公報
【特許文献３】特開平７−１８２９１８号公報
【発明の概要】
【発明が解決しようとする課題】
【０００５】
しかしながら、特許文献１に示されたものは、ソケット台を照明器具から取外したり、追加したりする作業が必要であり、作業効率が悪いという問題点があった。また、特許文献２に示されたものは、灯数の変更を灯体単位で行うので、この場合も灯体を取外したり、追加したりする作業が必要であり、同様に作業効率が悪く、さらに、少なくとも２台以上の灯体を用意する必要があり、コストアップを招くという問題を生じていた。
【０００６】
また、特許文献３及び特許文献４に示されたものは、ランプソケットを照明器具から取外すことなく、可倒できるようにしたものではあるが、その目的は、梱包時の器具の薄型化を図り、コンパクトに梱包できるようにした点にある。したがって、ランプソケットの可倒は、ランプの灯数の変更とは何ら関連性のないものである。
【０００７】
本発明は、以上のような状況に基づきに鑑みなされたもので、ランプの灯数が変更可能であり、その変更に際し、作業性が良好な照明器具を提供することを目的とする。
【課題を解決するための手段】
【０００８】
請求項１に記載の照明器具は、器具本体と；器具本体に設けられる片口金形ランプと；  このランプが装着されるとともに、ランプの軸と直交する前面側方向へ突出して器具本体の所定位置に配設された複数のランプソケットと；この複数のランプソケットと対向する位置に配設され、かつ当該ランプソケットの数より少ない数の少数のランプソケットと；前記片口金形ランプの背面側に設けられ、ランプからの出射光を前面側へ反射する反射体と；を備え、前記複数のランプソケットと少数のランプソケットとは、選択的に前記ランプを装着して使用が可能であって、前記複数のランプソケット及び少数のランプソケットのうち、使用されないランプソケットは、反射体から突出しないように構成されていることを特徴とする。
【０００９】
本発明及び以下の発明において、特に指定しない限り用語の技術的意味及び解釈は次による。本発明の照明器具は、システム天井に設置されるものに適用するのが好ましいが、格別これに限定されるものではない。
【００１０】
複数のランプソケットとは、２以上のランプソケットを意味する。また、少数のランプソケットとは、この複数のランプソケットの数より少ない数のランプソケットを意味する。したがって、少数のランプソケットの数は、複数のランプソケットの数との関係で規定される相対的なものである。
【００１１】
複数のランプソケットと少数のランプソケットとに選択的にランプを装着することにより灯数の変更が可能となる。例えば、複数のランプソケットの数が２個、少数のランプソケットの数が１個であれば、１灯、２灯の灯数変更が可能となり、複数のランプソケットの数が４個、少数のランプソケットの数が２個であれば、２灯、４灯の灯数変更が可能となる。
【００１２】
また、これらランプソケットを対向する位置に配設することにより、ランプの灯数を変更した場合にも、ランプ点灯時の配光バランスを良好に保つことができる。使用されないランプソケットを反射体から突出しないようにする構成は、ランプソケットを可倒できる機構や伸縮できる機構等により構成することができる。
【００１３】
請求項２に記載の照明器具は、器具本体と；器具本体に設けられるランプと；このランプの背面側に設けられ、ランプからの出射光を前面側へ反射する反射体と；前記ランプが装着されるとともに、ランプの軸と直交する前面側方向へ突出して器具本体に配設された複数のランプソケットと；これら複数のランプソケットのうち、選択的に前記ランプを装着して使用が可能であり、使用されない場合には、前記反射体から突出しないように構成された少なくとも１つの選択使用可能なランプソケットと；を具備することを特徴とする。
【００１４】
ランプとしては、例えば、片口金形ランプや両口金形の直管形の蛍光ランプ等が適用できる。両口金形の直管形の蛍光ランプの場合、ランプソケットは一対でひとつのランプソケットとしての機能を果たすこととなる。また、選択使用可能なランプソケットとは、使用又は非使用が選択できるランプソケットであって、使用されない場合には、反射体から突出しないように構成されたランプソケットを意味する。
【００１５】
請求項３に記載の照明器具は、請求項１又は請求項２に記載の照明器具において、前記ランプソケットが反射体から突出しない構成は、ランプソケットが可倒できる機構であることを特徴とする。
ランプソケットが可倒できる機構は、例えば、ランプソケットを回動可能に軸支して起立状態から倒伏状態にできる機構等が適用できる。
【発明の効果】
【００１６】
請求項１に記載の発明によれば、ランプ灯数を選択して変更可能であり、また、この灯数を変更するに際し、作業性が良好な照明器具を提供することができる。さらに、ランプを器具本体にバランスよく配置することが可能となり、ランプ点灯時において配光バランスを良好にすることができる。
また、使用されないランプソケットは、反射体から突出しないように構成されているので、外観が向上できる照明器具を提供することが可能となる。
【００１７】
請求項２に記載の発明によれば、ランプ灯数を選択して変更可能であり、この灯数を変更するに際し、作業性を良好なものとすることができる。また、使用されないランプソケットは、反射体から突出しないように構成されているので、外観が向上できる照明器具を提供することが可能となる。
請求項３に記載の発明によれば、請求項１又は請求項２に記載の発明の効果に加え、簡単な操作によりランプの灯数を変更することができる。
【図面の簡単な説明】
【００１８】
【図１】本発明の第１の実施形態に係る照明器具の１灯用の場合を示す斜視図である。
【図２】同底面図である。
【図３】図２のＸ−Ｘ線に沿って示す断面図である。
【図４】反射体を取外して示す底面図である。
【図５】同じく、反射体を取外して示す斜視図である。
【図６】反射体を示す斜視図である。
【図７】反射体を器具本体側へ取付ける場合の配置関係を示す底面図である。
【図８】ランプの灯数を変更する場合の動作を示す斜視図である。
【図９】ランプの灯数を１灯用から２灯用に変更する場合の動作を示す側断面図である。
【図１０】本発明の第１の実施形態に係る照明器具の２灯用の場合を示す底面図である。
【図１１】図１０のＸ−Ｘ線に沿って示す断面図である。
【図１２】反射体を取外して示す底面図である。
【図１３】同じく、反射体を取外して示す斜視図である。
【図１４】反射体を器具本体側へ取付ける場合の配置関係を示す底面図である。
【図１５】本発明の第２の実施形態に係る照明器具において、反射体を取外して示す底面図である。
【発明を実施するための形態】
【００１９】
以下、本発明の第１の実施形態について図１乃至図１４を参照して説明する。各図において、リード線等の配線部材関係は省略して示している。なお、同一部分には同一符号を付し重複した説明は省略する。
【００２０】
まず、本実施形態の照明器具は、システム天井に設置されるものであり、ランプの灯数の変更が可能な天井埋込形照明器具である。具体的には、１灯用と２灯用とに共用して使用できる照明器具である。図１乃至図１４において、図１乃至図７は、１灯用の場合を示しており、図１０乃至図１４は、２灯用の場合を示している。また、図８及び図９は、ランプの灯数を変更する場合の動作を示している。
【００２１】
１灯用の場合を図１乃至図７を参照して、その基本的構成とともに説明する。照明器具本体１は、一面側が開口したほぼ直方体形状に形成されており、この器具本体１内には、ランプ２、ランプ２が装着されるランプソケット３、ランプを支持するランプホルダ４、ランプ２を点灯制御する点灯装置５及び反射体６が設けられており、器具本体１の開口にはルーバ７が取付けられている。
【００２２】
器具本体１は、例えば、冷間圧延鋼板で形成され、長手方向の両側面には、システム天井のＴバーに支持される鍵状に折曲された支持金具１１が取付けられている。図１乃至図３に示すように、ランプ２は、１灯取付けられており、このランプ２は、２本の直管状の発光管２１を有するとともに一端側にのみ口金を備える長さ寸法５６０ｍｍの片口金形ランプであり、いわゆる４５Ｗタイプのコンパクト形蛍光ランプである。口金は、ＪＩＳ規格で定められたＧＹ１０ｑ形口金であり、この口金からは端子ピンが突出されている。
【００２３】
図３乃至図５に示すように、ランプソケット３は、白色のＰＢＴ樹脂等から形成され、このランプソケット３は、１灯用のソケットブロック３１と２灯用のソケットブロック３２とに配設されている。これらソケットブロック３１、３２は、ランプソケット３と、このランプソケット３が取付けられるソケット台３３、３４とから構成されており、器具本体１内の長手方向の両端部に対向するように配置されている。ソケット台３３、３４は、冷間圧延鋼板で形成され、白色の塗装が施されている。ソケット台３３には、そのほぼ中央部にランプソケット３が１個取付けられており、ソケット台３４には、ランプソケット３が２個並列に配置されて取付けられている。
【００２４】
ランプソケット３には、ランプ２の口金が装着できるようになっており、また、口金に設けられた端子ピンが挿入されて電気的に接続できる給電端子が設けられている。
【００２５】
図３に代表して示すように、ソケット台３３、３４は、照明器具本体１の上面内壁に固定されたＬ字状の取付金具３５、３６に回動可能に軸支されて内側へ可倒できるようになっている。本態様は、１灯用の場合であるため、１灯用のソケット台３３は、ランプ２の軸と直交する前面側方向へ突出、すなわち、起立状態となっており、２灯用のソケット台３４は、倒伏状態となっている。
【００２６】
したがって、１灯用のソケット台３３に取付けられたランプソケット３にはランプ２が装着可能であるが、２灯用のソケット台３４に取付けられたランプソケット３にはランプ２が装着できないようになっている。
【００２７】
ランプホルダ４は、前記ランプソケット３と対をなすものであり、このランプホルダ４は、１灯用のホルダブロック４１と２灯用のホルダブロック４２とに配設されている。これらホルダブロック４１、４２は、前記ソケットブロック３１、３２と概略類似の構成を有しており、ランプホルダ４と、このランプホルダ４が取付けられるホルダ台４３、４４とから構成されている。ホルダ台４３、４４は、冷間圧延鋼板で形成され、白色の塗装が施されている。１灯用のホルダブロック４１は、２灯用のソケットブロック３２の内側に所定間隔の距離を空けて配設されており、２灯用のホルダブロック４２は、１灯用のソケットブロック３１の内側に所定間隔の距離を空けて配設されている。
【００２８】
ランプホルダ４は、ランプ２の発光管２１の先端側近傍を両側から弾性的に保持するもので、発光管２１の外形に沿って湾曲状に形成されている。ホルダ台４３には、そのほぼ中央部にランプホルダ４が１個取付けられており、ホルダ台４４には、ランプホルダ４が２個並列に配置されて取付けられている。
【００２９】
図３に示すように、ホルダ台４３、４４は、照明器具本体１の上面内壁に固定されたＬ字状の取付金具４５、４６に回動可能に軸支されて、それぞれソケットブロック３２又はソケットブロック３１側へ可倒できるようになっている。したがって、１灯用のソケットブロック３１と２灯用のホルダブロック４２、２灯用のソケットブロック３２と１灯用のホルダブロック４１は、それぞれ相互に向かい合う方向に可倒されるようになっている。
【００３０】
本態様は、１灯用の場合であるため、１灯用のホルダ台４３は、ランプ２の軸と直交する前面側方向へ突出、すなわち、起立状態となっており、２灯用のホルダ台４４は、倒伏状態となっている。したがって、１灯用のソケットブロック３１に取付けられたランプ２が１灯用のホルダ台４３に取付けられたランプホルダ４に保持されるようになっている。
【００３１】
点灯装置５は、ランプ２を高周波点灯させるインバータ点灯回路を有しており、２灯用の場合に、２本のランプ２をそれぞれ点灯制御するために２台取付けられている。点灯装置５は、ホルダブロック４１とホルダブロック４２との間のスペースを利用して器具本体１の長手方向に沿って配置されている。また、点灯装置５は、電源及びランプソケット３に電気的に接続されている。
なお、図４及び図５に示すように、器具本体１内には、端子台８等が配設されており、また、器具本体１には、空調リターン用開口１２が適宜形成されている。
【００３２】
反射体６は、図６に示すように、冷間圧延鋼板でほぼ長方形状に形成され、反射効率を高めるため反射面が白色塗装されている。また、中央領域は、平坦状であり、両側は、Ｖ字状に折曲形成され、この折曲形成された部分には、空調リターン用開口６１が形成されている。さらに、反射体６の中央領域の一端側には、長方形状に切欠かれた切欠き部６ａが形成されており、他端側には、幅方向にスリット６ｂが形成されている。なお、６ｃは、反射体６を器具本体１側へ取付けるためのねじ貫通孔である。
【００３３】
このように構成された反射体６は、図７に示すように、器具本体１側へねじ等の固定手段６ｄにより取付けられる。固定手段６ｄは、反射体６の貫通孔を貫通し、ホルダ台４３上面に形成されたねじ穴、ホルダ台４４の側面に形成されたねじ穴にねじ込まれる。この場合、反射体６の切欠き部６ａは、起立した１灯用のソケットブロック３１に対応し、スリット６ｂは、起立した１灯用のホルダブロック４１に対応しているため、ソケットブロック３１のランプソケット３は、切欠き部６ａから前面側へ突出し、ホルダブロック４１のランプホルダ４は、スリット６ｂから前面側へ突出する。
【００３４】
このとき、切欠き部６ａからソケット台３３、スリット６ｂからホルダ台４３が外観上、表出することとなるが、ソケット台３３及びホルダ台４３は、白色塗装がなされており、反射体６と同色であるため目立つことがなく、外観デザイン性や反射効率が低下するのを抑制することができる。
【００３５】
一方、２灯用のソケットブロック３２及びホルダブロック４２は、倒伏状態にあるため、反射体６に覆われる状態となり、反射体６から突出することはない（図２参照）。
【００３６】
上記のように切欠き部６ａ及びスリット６ｂ、起立状態のソケットブロック３１のランプソケット３及びホルダブロック４１のランプホルダ４の対応関係で１灯用の場合の適正な使用状態が確保できる。つまり、例えば、２灯用のソケットブロック３２又はホルダブロック４２が起立している場合には、反射体６を取付けることができないものとなり、誤使用が回避される。
このようにランプ２の背面側に設けられた反射体６は、ランプ２からの出射光を前面側へ反射して光を有効に照射する機能を有している（図２及び図３参照）。
【００３７】
ルーバ７は、器具本体１の開口に着脱可能に取付けられている。ルーバ７は、ランプ２から放射される光の配光状態を制御する機能を有し、器具本体１の幅方向に平行状に配設された複数の制光部材を有している。
【００３８】
次に、ランプ２の灯数を１灯用から２灯用に変更する場合について図８及び図９を参照して説明する。図８は、２灯用のソケットブロック３２及び１灯用のホルダブロック４１を示している。図示しない１灯用のソケットブロック３１及び２灯用のホルダブロック４２の動作もこれらソケットブロック３２及びホルダブロック４１と同様である。２灯用のソケットブロック３２及び１灯用のホルダブロック４１は、それぞれ回動可能に軸支されており、図示矢印で示すように、相互に向かい合う方向に可倒できるようになっている。
【００３９】
図９（ａ）に示す１灯用の状態から図９（ｂ）に示す２灯用の状態にする場合、図９（ａ）において、倒伏されている２灯用のホルダブロック４２及び２灯用のソケットブロック３２を図示上、反時計方向に回動して起立させる。このとき、１灯用のソケットブロック３１と２灯用のホルダブロック４２との間、１灯用のホルダブロック４１と２灯用のソケットブロック３２との間にはスペースが形成されることとなり、このスペースに１灯用のソケットブロック３１、１灯用のホルダブロック４１を倒伏させることが可能となる。
【００４０】
次いで、図９（ｂ）に示すように、起立している１灯用のソケットブロック３１及び１灯用のホルダブロック４１を同様に図示上、反時計方向に回動して倒伏させる。この状態においてコネクタ等で配線接続を変更して２灯用の電気的接続状態とする。
【００４１】
ここで、１灯用のソケットブロック３１及び２灯用のソケットブロック３２の倒伏時の回動は、器具本体１の側面内壁によって規制され、１灯用のホルダブロック４１及び２灯用のホルダブロック４２の回動は、それぞれホルダ台４３、ホルダ台４４の角部Ｃと器具本体１の上面内壁によって規制されるので、相互に向かい合う方向にのみ可倒されるようになっている。したがって、ホルダブロック４１，４２が器具本体１内の中央側へ向かって倒伏することがなく、器具本体１内のスペースを有効に利用して配線処理等を行うことが可能となる。
【００４２】
続いて、２灯用の場合を図１０乃至図１４を参照して説明する。基本的構成は、上記１灯用の場合において既述したとおりであり、２灯用の場合の特有な部分を中心に説明する。なお、各図は、１灯用の場合と対応させて示している。
【００４３】
２灯用の場合には、２灯用のソケットブロック３２と２灯用のホルダブロック４２とが起立状態にあり、１灯用のソケットブロック３１と１灯用のホルダブロック４１とが倒伏状態にある。そして、起立状態にあるソケットブロック３２のソケット３に２本のランプ２が装着され、このランプ２の発光管２１の先端側近傍がランプホルダ４によって保持される。
【００４４】
図１４に示すように、器具本体１側へ反射体６を取付ける場合、反射体６は、器具本体１に対し、１灯用の場合（図７参照）とは向きを変えて、すなわち、１８０度方向を変えた配置関係として取付ける。
【００４５】
固定手段６ｄは、反射体６の貫通孔を貫通しホルダ台４３側面に形成されたねじ穴、ホルダ台４４の上面に形成されたねじ穴にねじ込まれる。この場合、反射体６の切欠き部６ａは、起立した２灯用のソケットブロック３２に対応し、スリット６ｂは、起立した２灯用のホルダブロック４２に対応しているため、ソケットブロック３２の２個のランプソケット３は、切欠き部６ａから前面側へ突出し、ホルダブロック４２の２個のランプホルダ４は、スリット６ｂから前面側へ突出する。
【００４６】
一方、１灯用のソケットブロック３１及びホルダブロック４１は、倒伏状態にあるため、反射体６に覆われる状態となり、反射体６から突出することはない（図１０参照）。
【００４７】
このように切欠き部６ａ及びスリット６ｂ、起立状態のソケットブロック３２のランプソケット３及びホルダブロック４２のランプホルダ４の対応関係で２灯用の場合の適正な使用状態が確保できる。すなわち、反射体６の構成と、ランプソケット３及びランプホルダ４の配置関係で、１灯用及び２灯用の適正な使用状態の確保が可能となる。また、反射体６は、取付け向きを変えることにより、１灯用及び２灯用に共用可能となっている。
なお、２灯用の状態から１灯用の状態にするには、上記と逆の動作、すなわち、図９（ｂ）に示す状態から図９（ａ）に示す状態にすればよい。
【００４８】
以上のように本実施形態によれば、ランプ２の灯数を選択して変更可能であり、例えば、１灯用又は２灯用が共用できる照明器具を提供できる。また、この灯数を変更するに際し、ランプソケット３やランプホルダ４を取外す作業は不要となり、作業性を良好なものとすることができる。
【００４９】
１灯用のソケットブロック３１と２灯用のソケットブロック３２とは、対向する位置に配設しているので、それぞれ１灯用の場合と２灯用の場合において、ランプ２を器具本体１の開口の中央部にバランスよく配置することが可能となり、ランプ２の点灯時において配光バランスが良好となる。つまり、仮に、３個のランプソケット３を同一の端部側に並べて配設した場合には、１灯用の場合は、ランプは器具本体１の開口の中央部に配置することが可能となるが、２灯用の場合は、２本のランプを中央部に寄せてバランスよく配置することが困難となる。
【００５０】
ランプ２が装着されないで使用されないランプソケット３及びランプホルダ４は、倒伏状態にあり、反射体６から突出することなく、反射体６によって覆われるので、外観が向上でき、また、反射体６の反射面を有効的に利用することが可能となる。
また、ランプソケット３及びランプホルダ４は、可倒できるようになっているので、簡単な操作によりランプ２の灯数を変更することができる。
次に、本発明の第２の実施形態について図１５を参照して説明する。なお、第１の実施形態と同一又は相当部分には同一符号を付し重複した説明は省略する。
【００５１】
本実施形態では、ソケットブロック９１とこれと対向するホルダブロック９３、ソケットブロック９２とこれと対向するホルダブロック９４とからなる各対を設け、一方の対を起立状態で固定構造とし、他方の対を可倒できるように構成したものである。具体的には、ソケットブロック９１及びホルダブロック９３は、起立状態で固定されている。ソケットブロック９２及びホルダブロック９４は、回動可能となっており、倒伏状態とすることができるようになっている。
【００５２】
したがって、１灯用の場合には、ソケットブロック９２及びホルダブロック９４を倒伏させて反射体を取付け、ソケットブロック９１のランプソケット３にランプ２を装着し、ホルダブロック９３のランプホルダ４によって保持する。
【００５３】
また、２灯用の場合には、ソケットブロック９２及びホルダブロック９４を起立状態とし、つまり、起立状態となっているソケットブロック９１及びホルダブロック９３は、１灯用の場合と兼用し、この状態で反射体を取付ける。そして、２本のランプ２をそれぞれのランプソケット３に装着し、ランプホルダ４によって保持する。
【００５４】
以上のように本実施形態によれば、第１の実施形態と同様な効果に加え、部品点数が少なく、可倒できる構成は、ソケットブロック９２及びホルダブロック９４の一方だけであるので、構成の簡素化が可能となり、安価に製作できる。
【００５５】
なお、本発明は、上記各実施形態の構成に限定されることなく、発明の要旨を逸脱しない範囲で種々の変形が可能である。例えば、ランプの灯数の変更は、１灯又は２灯に限らず、１灯又は３灯、２灯又は４灯などの変更であってもよく、格別その灯数が限定されるものではない。つまり、複数のランプソケットと、その複数のランプソケットより少ない少数のランプソケットとを選択的に使用してランプを装着し、ランプの灯数を変更できればよい。
【００５６】
また、本発明に適用するランプは長尺のものに限らず、したがって、ランプホルダは必須の構成要件ではない。さらに、ランプは、片口金形ランプを用いる場合に限らない。例えば、両口金形の直管形の蛍光ランプを用いることもできる。この場合、複数のランプソケットのうち、少なくとも１対のランプソケットを可倒できるようにすることにより、使用しないランプソケットを反射体から突出しないようにし、灯数を変更することが可能となる。
また、使用しないランプソケットを反射体から突出しないようにする構成は、ランプソケットを伸縮するようにして反射体から突没させるようにしてもよい。
【００５７】
さらにまた、ランプとしては、その発光体としてＬＥＤ等の発光素子を用いて構成されたものであってもよい。加えて、照明器具の照射開口面の形状は、長方形状や正方形状等が適用でき、特段その形状が限定されるものではない。
【符号の説明】
【００５８】
１・・・器具本体、２・・・ランプ、３・・・ランプソケット、
４・・・ランプホルダ、６・・・反射体、３１・・・１灯用のソケットブロック、
３２・・・２灯用のソケットブロック、４１・・・１灯用のホルダブロック、
４２・・・２灯用のホルダブロック
【図１】
2011146268.tif 000003
【図２】
2011146268.tif 000004
【図３】
2011146268.tif 000005
【図４】
2011146268.tif 000006
【図５】
2011146268.tif 000007
【図６】
2011146268.tif 000008
【図７】
2011146268.tif 000009
【図８】
2011146268.tif 000010
【図９】
2011146268.tif 000011
【図１０】
2011146268.tif 000012
【図１１】
2011146268.tif 000013
【図１２】
2011146268.tif 000014
【図１３】
2011146268.tif 000015
【図１４】
2011146268.tif 000016
【図１５】
2011146268.tif 000017